(57)【要約】      （修正有）【課題】強度の低下を抑えることができる太陽光パネル用架台を提供する。【解決手段】太陽光パネル用架台１は、第１脚部２と、第１脚部２よりも鉛直方向Ｚの寸法が大きい第２脚部３とを備え、第１脚部２および第２脚部３の上方には第１桁部６および第２桁部７が固定される。第１脚部２の間および第２脚部３の間には、第１筋違８および第２筋違９が設けられる。第１筋違８および第２筋違９は、木ねじ１０によって固定される。第１桁部６および第２桁部７の上方に載置部１２が設けられる。第１脚部２および第２脚部３の上部に凸部２４および凸部３４を備え、第１桁部６および第２桁部７に凸部２４，３４に嵌合可能な凹部６１，７１を設ける。凹部６１，７１に凸部２４，３４を嵌合させ、木ねじを用い第２脚部３と第２桁部７が固定される。第１脚部２、第２脚部３、第１桁部６、第２桁部７、第１筋違８、第２筋違９は、間伐材から形成された木材を用いる。【選択図】図１
0003195607.tif 000002
【実用新案登録請求の範囲】
【請求項１】
太陽光パネルが載置される太陽光パネル用架台であって、
鉛直方向へ延びる一対の第１脚部および前記第１脚部よりも前記鉛直方向の寸法が大きい一対の第２脚部と、
前記第１脚部の前記鉛直方向上方において、一方の端部が一方の前記第１脚部に固定され、他方の端部が他方の前記第１脚部に固定される第１桁部と、
前記第２脚部の前記鉛直方向上方において、一方の端部が一方の前記第２脚部に固定され、他方の端部が他方の前記第１脚部に固定される第２桁部と、
前記太陽光パネルが載置されるとともに、一方の端部が前記第１桁部に固定され、他方の端部が前記第２桁部に固定される複数の載置部と、
前記第１脚部および前記第２脚部を互いに連結する筋違とを備え、
前記第１脚部、前記第２脚部、前記第１桁部および前記第２桁部は、木材によって形成され、
前記第１脚部および前記第２脚部は、前記鉛直方向上方に突出する凸部を備え、
前記第１桁部および前記第２桁部は、前記凸部に嵌合可能な凹部を備え、
前記凸部および前記凹部は、嵌合状態において互いに木ねじで固定されることを特徴とする太陽光パネル用架台。
【請求項２】
前記凸部と前記凹部との接触部分には、補強板が取り付けられることを特徴とする請求項１記載の太陽光パネル用架台。
【請求項３】
前記載置部は、木材によって形成されるとともに、前記第１脚部側に位置する一方の端部と、前記第２脚部側に位置する他方の端部とを備え、
前記他方の端部は、前記鉛直方向にほぼ平行な端面を有することを特徴とする請求項１または２記載の太陽光パネル用架台。
【考案の詳細な説明】
【技術分野】
【０００１】
この考案は、太陽光パネルを載置可能な太陽光パネル用架台に関し、より詳細には、木材を利用して形成された太陽光パネル用架台に関する。
【背景技術】
【０００２】
従来、太陽光パネル用架台の構成部材の少なくとも一部に木材を利用したものが公知である。木材を利用することにより、間伐材を積極的に利用することができ、かつ、鉄などの金属材料を用いた場合に比べて架台全体の軽量化を図ることができる。
【先行技術文献】
【特許文献】
【０００３】
【特許文献１】実用新案登録第３１８０７９１号公報
【特許文献２】特開２０１４−８０８１４号公報
【考案の概要】
【考案が解決しようとする課題】
【０００４】
しかしながら、従来の木材を利用した太陽光パネル用架台は、金属材料を用いた場合に比べて強度の低下が懸念され、特に、太陽光パネルを取付けた状態における強風のあおりに対して強度が低下するという懸念があった。また、木材特有の経年劣化により、連結部分におけるがたつきが大きくなるという問題もあった。
【０００５】
この考案では、強度の低下を抑えることができる太陽光パネル用架台を提供することを課題とする。
【課題を解決するための手段】
【０００６】
この考案は、太陽光パネルが載置される太陽光パネル用架台であって、鉛直方向へ延びる一対の第１脚部および前記第１脚部よりも前記鉛直方向の寸法が大きい一対の第２脚部と、前記第１脚部の前記鉛直方向上方において、一方の端部が一方の前記第１脚部に固定され、他方の端部が他方の前記第１脚部に固定される第１桁部と、前記第２脚部の前記鉛直方向上方において、一方の端部が一方の前記第２脚部に固定され、他方の端部が他方の前記第１脚部に固定される第２桁部と、前記太陽光パネルが載置されるとともに、一方の端部が前記第１桁部に固定され、他方の端部が前記第２桁部に固定される複数の載置部と、前記第１脚部および前記第２脚部を互いに連結する筋違とを備え、前記第１脚部、前記第２脚部、前記第１桁部および前記第２桁部は、木材によって形成され、前記第１脚部および前記第２脚部は、前記鉛直方向上方に突出する凸部を備え、前記第１桁部および前記第２桁部は、前記凸部に嵌合可能な凹部を備え、前記凸部および前記凹部は、嵌合状態において互いに木ねじで固定されることを特徴とする。
【０００７】
前記凸部と前記凹部との接触部分には、補強板が取り付けられていてもよい。
【０００８】
前記載置部は、木材によって形成されるとともに、前記第１脚部側に位置する一方の端部と、前記第２脚部側に位置する他方の端部とを備え、前記他方の端部は、前記鉛直方向にほぼ平行な端面を有していてもよい。
【考案の効果】
【０００９】
この考案の太陽光パネル用架台によれば、構成要素の少なくとも一部に木材を用いることができるので、間伐材の有効利用を進めることができ、架台全体の軽量化を図ることができる。また、第１脚部および第２脚部を筋違によって固定し、さらに、第１脚部に設けた凸部と、第１桁部に設けた凹部とを嵌合してこれらを木ねじによって固定し、第２脚部に設けた凸部と第２桁部に設けた凹部とを嵌合してこれらを木ねじによって固定することとしたので、これら連結部分における強度を維持することができる。
【図面の簡単な説明】
【００１０】
【図１】この考案の太陽光パネル用架台の一例を示す斜視図。
【図２】図１の太陽光パネル用架台を第１脚部側から見た正面図。
【図３】図１の太陽光パネル用架台の側面図であって、太陽光パネルを載置した図。
【図４】図３のＩＶ部分拡大図であって、第２脚部の横方向中心で切断した図。
【図５】第２脚部および第２桁部の部分拡大斜視図。
【考案を実施するための形態】
【００１１】
図１および図２は、太陽光パネルＰが載置されていない太陽光パネル用架台１を示したものであり、図３は、太陽光パネルＰが載置されている状態を示したものである。これら図１〜図３を参照すれば、太陽光パネルＰが載置可能な太陽光パネル用架台１は、取付土台Ｂに固定される。取付土台Ｂは、木材を利用することもできるし、コンクリートやモルタル等の木材以外の材料を利用することもできる。また、取付土台Ｂを用いることなく、直接地面に太陽光パネル用架台１を設置してもよい。太陽光パネル用架台１は、地面に対して垂直に延びる鉛直方向Ｚと、鉛直方向Ｚに対してそれぞれ直交する横方向Ｘおよび縦方向Ｙとを有する。
【００１２】
太陽光パネル用架台１は、取付土台Ｂから鉛直方向Ｚへ延びる少なくとも一対の第１脚部２と、第１脚部２よりも鉛直方向Ｚにおける寸法が大きい少なくとも一対の第２脚部３とを備える。この実施形態では、一対の第１脚部２および第２脚部３の間に、それぞれ一本ずつ第１脚部２および第２脚部３をさらに設け、架台１全体の補強をしている。補強のための第１脚部２および第２脚部３は、複数本用いることもできる。
第１脚部２および第２脚部３は、鉛直方向Ｚに対して平行に延びるものであってもよいし、これに対して傾斜するものであってもよい。
【００１３】
横方向Ｘへ離間して並ぶ複数の第１脚部２は、鉛直方向Ｚにおける寸法が互いにほぼ等しく、同様に、横方向Ｘへ離間して並ぶ複数の第２脚部３も、鉛直方向Ｚにおける寸法が互いにほぼ等しい。この実施形態において、第１脚部２および第２脚部３は、間伐材から成型された角材を用いることができる。第１脚部２は、横方向Ｘへ離間対向する両側面２１と、縦方向Ｙへ離間対向する前後面２２，２３を有し、同様に第２脚部３は、横方向Ｘへ離間対向する両側面３１と、縦方向Ｙへ離間対向する前後面３２，３３を有する。
【００１４】
特に図２を参照すれば、第１脚部２と取付土台Ｂとの間、および第２脚部３と取付土台Ｂとの間にはパッキン材４がそれぞれ設けられる。パッキン材４は、第１脚部２および第２脚部３の底面の面積と同じか、それよりも小さい面積を有し、第１脚部２および第２脚部３の底面からその上部へと水分が吸収されるのを防止する。パッキン材４として、例えば、不透液性または難透液性のプラスチックやゴム等の樹脂材を用いることができるほか、液体防腐剤を加圧注入した木製の板材等を用いることができる。
【００１５】
第１脚部２および第２脚部３は、例えば、ステンレス製のＬ型アングル等の、取付部材５を用いて取付土台Ｂに固定することができる。具体的に、取付部材５は、第１脚部２および第２脚部３の両側面２１，３１にそれぞれ配置され、ボルトとナットを用いて第１脚部２および第２脚部３を取付土台Ｂにそれぞれ固定する。
【００１６】
第１脚部２の鉛直方向Ｚ上方には第１桁部６が固定され、同様に第２脚部３の鉛直方向Ｚ上方には第２桁部７が固定される。第１桁部６および第２桁部７は、横方向Ｘへそれぞれ延びる柱状体である。この実施形態において、第１桁部６および第２桁部７は、間伐材から成型された角材を用いることができる。第１桁部６は、縦方向Ｙへ離間対向する前後面６２，６３と、鉛直方向Ｚへ離間対向する上下面６４，６５を有し、同様に第２桁部７は、縦方向Ｙへ離間対向する前後面７２，７３と、鉛直方向Ｚへ離間対向する上下面７４，７５を有する（図３参照）。
【００１７】
第１脚部２の間には、横方向Ｘへ延びるとともにこれらを互いに連結する第１筋違８が設けられ、同様に、第２脚部３の間にも、横方向Ｘへ延びるとともにこれらを互いに連結する第２筋違９が設けられる。第１筋違８および第２筋違９は、横方向Ｘに対して傾斜して設けることが好ましい。この実施形態において、第１筋違８は、三つの第１脚部２のそれぞれを横断し、同様に第２筋違９も三つの第２脚部３のそれぞれを横断して設けられる。第１筋違８および第２筋違９は、間伐材から形成された板材を用いることができる。
【００１８】
第１筋違８は、木ねじ１０によって第１脚部２の前面２２に固定される。同様に、第２筋違９は、木ねじ１０によって第２脚部３の後面３３に固定される。木ねじ１０を用いることによって、ボルトおよびナットを用いて固定した場合に比べて木材の経年劣化の影響を小さくすることができる。すなわち、ボルトおよびナットを用いた場合には、第１脚部２および第１筋違８、第２脚部３および第２筋違９に、それぞれボルト穴を形成しなければならず、経年によりボルト穴が収縮および拡大し、ボルトとの隙間が大きくなり、ゆるみが生じてしまう。特に、木材の収縮および拡大は中心部で大きいから、木材に貫通して形成されたボルト穴においては、ボルトとの隙間が大きくなりやすい。これに対して、この実施形態では木ねじ１０を用いているのでねじと木材との間に隙間が生じにくく、木材の経年劣化における影響を抑制することができる。なお、木ねじ１０は、太さが約９ｍｍ以上、長さが約９０ｍｍ以上のものを用いることが望ましい。
【００１９】
横方向Ｘ外側に位置する第１脚部２と第２脚部３との間には、縦方向Ｙへ延びるとともにこれらを互いに連結する第３筋違１１が設けられる。第３筋違１１は、縦方向Ｙに対して傾斜するように配置するのが好ましい。この実施形態において、第３筋違１１は、間伐材から形成された板材を用いることができる。第３筋違１１は、第１筋違８および第２筋違９と同様に木ねじ１０によって第１脚部２の側面２１および第２脚部３の側面３１に固定される。
【００２０】
第１桁部６および第２桁部７の鉛直方向Ｚ上方には、複数の載置部１２が設けられる。載置部１２は、少なくとも第１桁部６から第２桁部７へと延びる柱状体であり、この実施形態では４本用いる。第２桁部７の地面からの高さが第１桁部６のそれよりも高いから、載置部１２は地面に対して、すなわち縦方向Ｙに対して傾斜して設けられる。載置部１２の傾斜角度は、水平面に対し約５〜３０°であることが好ましい。載置部１２の縦方向Ｙにおける長さ寸法は、第１桁部６および第２桁部７の離間寸法よりも大きく、その一方の端部１２Ａが第１桁部６に固定され、他方の端部１２Ｂが第２桁部７に固定される。
【００２１】
載置部１２は、第１桁部６および第２桁部７の長さ方向である横方向Ｘにおいて、離間して配置される。離間寸法は、載置部１２に設置される太陽光パネルＰの大きさに応じて決定することもできるし、等間隔にすることもできる。この実施形態において、載置部１２は、間伐材から成型された板材又は角材を用いることができる。これら載置部１２の鉛直方向Ｚ上方に太陽光パネルＰを固定する（図３参照）。太陽光パネルＰは、載置部１２にほぼ平行に固定され、水平面に対し約５〜３０°の傾斜角度を有し、太陽光パネルＰによる高い発電効率の発揮が可能となる。また、太陽光パネル用架台１を例えば積雪地域に設置する場合には、載置部１２の傾斜角度を急こう配にして、太陽光パネルＰ表面から雪が落ちるようにすることが望ましい。このような傾斜角度にすることによって、太陽光パネルＰによる発電効率を維持することができる。
【００２２】
特に図３を参照すれば、載置部１２と太陽光パネルＰとは、金属製の取付板１６を介して互いに固定される。取付板１６としては、例えば、互いに直交する部分を備えるＬ字型のかね折金物を用いることができ、いずれか一方の部分を載置部１２に面接触させ、いずれか他方の部分を太陽光パネルＰに面接触させ、これら接触部分をねじ止めすることによって、載置部１２と太陽光パネルＰとを固定する。少なくとも、載置部１２の一方の端部１２Ａおよび他方の端部１２Ｂにおいて取付板１６を配置する。載置部１２の一方の端部１２Ａおよび他方の端部１２Ｂに取付けた取付板１６は、載置部１２の腐食を抑制することもできる。なお、取付板１６は、載置部１２の長手方向中央部分にもさらに設けることができる。
【００２３】
載置部１２の他方の端部１２Ｂを構成する他方の端面１２Ｃは、鉛直方向Ｚにほぼ平行にされる。このような形状にすることによって、載置部１２に太陽光パネルＰを載置したときに、太陽光パネルＰから他方の端面１２Ｃが延出するのを防止することができる。仮に太陽光パネルＰの下方から他方の端面１２Ｃが延出した場合には、雨が直接端部に当たり、端部からの水の侵入や、端部の腐敗などを引き起こしやすい。しかし、他方の端面１２Ｃ傾斜させることによって、これら不都合を解消することができる。また、他方の端面１２Ｃを傾斜されているから、これに取付ける取付板１６も傾斜させることが望ましい。
【００２４】
図１，図４および図５を参照すれば、第２脚部３の鉛直方向Ｚ上部には、凸部３４を備える。凸部３４は、第２脚部３の縦方向Ｙにおける寸法よりもその寸法が小さく、凸部３４によって段部３５が形成される。凸部３４は、第２脚部３の後面３３と同一平面上に設けられる。
また、図示しないが、第１脚部２の鉛直方向Ｚ上部にも、第２脚部３の凸部３４と同様の凸部２４と、段部３５と同様の段部とを備える。
【００２５】
第２桁部７には、凸部３４に嵌合可能な凹部７１を設ける。凹部７１は第２桁部７の後面７３であって、凸部３４に対応する位置に設けられる。凹部７１は、凸部３４が嵌合可能な形状および大きさを有し、上面７４から下面７５に亘って設けられる。凸部３４および凹部７１は、鉛直方向Ｚにおける寸法がほぼ等しく、凹部７１に凸部３４を嵌合させたとき、第２脚部３の段部３５と第２桁部７の下面７５が当接する。このような嵌合状態で、縦方向Ｙへ延びる木ねじ１３が螺合され、第２脚部３と第２桁部７が固定される。
図示しないが、第１桁部６にも第２桁部の凹部７１と同様の凹部６１が設けられ、第１脚部２の凸部２４に嵌合されるとともに、木ねじ１３によって、第１脚部２と第１桁部６とが互いに固定される。木ねじ１３として、例えば太さが約９ｍｍ以上、長さが約９０ｍｍ以上のものを用いることが望ましい。
【００２６】
第１脚部２および第１桁部６の固定、第２脚部３および第２桁部７の固定に、木ねじ１３を用いることによって、ボルトおよびナットを用いて固定した場合に比べて木材の経年劣化の影響を小さくすることができる。また、第１脚部２および第２脚部３の後面２３，３３に凸部２４，３４を設けることによって、これらを凹部６１，７１に嵌合したときの強度を確保することができる。すなわち、太陽光パネル用架台１に太陽光パネルＰを取付けた場合であって、強風が吹いた場合、第１脚部２の下方から上方に向かって押し上げるような力が作用するが、仮に、凸部２４，３４を前後面６２，６３あるいは７２，７３の中央部分に設け、凹部６１，７１をいわゆるほぞ穴にした場合には、縦方向Ｙにおける強度が弱くなり、第１脚部２および第２脚部３と第１桁部６および第２桁部７との固定が外れてしまう可能性がある。
【００２７】
第２脚部３と第２桁部７との接合部分であって、その前面３２，７２には、これらの接合を補強する補強板１４が取り付けられる。この実施形態において、補強板１４としてステンレス等の金属材料を用いる。しかし、補強板１４の材料としては木材を用いてもよい。補強板１４は、鉛直方向Ｚの上方および下方において、図示しない木ねじを用いそれぞれ第２脚部３および第２桁部７に固定される。
同様に、第１脚部２および第１桁部６との接合部分にも補強板１４が設けられ、これらの固定を補強する。
【００２８】
第２桁部７には、その前面７２から上面７４へと切り欠かれた切欠き部７６が設けられる。切欠き部７６には、載置部１２の他方の端部１２Ｂが嵌合するように、その位置・大きさが設定される。切欠き部７６に嵌合された載置部１２と、第２桁部７は、金属製の固定板１５を介して図示しない木ねじによって互いに固定される。このように切欠き部７６を設け、さらに固定板１５を用いることによって、第２桁部７に載置部１２を強固に固定することができる。固定板１５は、載置部１２の横方向Ｘに対向する両側面に設けられるとともに、いわゆるひねり金物を用いることができる。この実施形態において、固定板１５は載置部１２の両側面に設けているが、いずれか一方の面にのみ設けてもよい。
同様に、第１桁部６にも切欠き部が設けられ、載置部１２の一方の端部１２Ａが嵌合され、さらに固定板１５によって第１桁部６と載置部１２とが固定される。
【００２９】
第１脚部２、第２脚部３、第１桁部６、第２桁部７、載置部１２、第１および第２筋違８，９および第３筋違１１等、木材を用いた部材については、防腐処理をすることが望ましい。この実施形態で用いた部材において、木材のものを一部金属製の部材に換え、また金属製の部材を木材に換えることが可能である。各部材の寸法や数は、載置する太陽光パネルＰの大きさ、枚数や、強度に応じて適宜変更可能である。また、図１に示した太陽光パネル用架台１をひとつのユニットとして、このユニットを複数並べて使用することもできる。ユニットを横方向Ｘへ複数並べる場合において、ユニットを互いに連結して設置することもできるし、連結することなく設置することもできる。
【００３０】
その他、太陽光パネル用架台１を構成する各構成部材には、本明細書に記載されている材料のほかに、この種の分野において通常用いられている、各種の公知の材料を制限なく用いることができる。また、本考案の明細書および実用新案登録請求の範囲において、用語「第１」「第２」および「第３」は、同称の要素、位置等を単に区別するために用いられている。
【符号の説明】
【００３１】
Ｐ    太陽光パネル
１    太陽光パネル用架台
２    第１脚部
３    第２脚部
６    第１桁部
７    第２桁部
１０    木ねじ
１１    第３筋違（筋違）
１２    載置部
１２Ａ  一方の端部
１２Ｂ  他方の端部
１２Ｃ  他方の端面
１４    補強板
２４    凸部
３４    凸部
６１    凹部
７１    凹部
【図１】
0003195607.tif 000003
【図２】
0003195607.tif 000004
【図３】
0003195607.tif 000005
【図４】
0003195607.tif 000006
【図５】
0003195607.tif 000007